(57)【要約】【課題】フリック操作により記録媒体の排出を可能にする車載用電子機器を提供する。【解決手段】メインユニット３と、パネルディスプレイ６とを有し、パネルディスプレイ６がメインユニット３の正面部５で支持されており、メインユニット３には、ディスクの読み出し手段たるディスクプレーヤと、ディスクの排出口１１とが設けられ、パネルディスプレイ６を移動させることによりディスクを排出口１１から排出する。パネルディスプレイ６はフリック操作されることにより正面部５に沿ってスライドし、パネルディスプレイ６がスライドすることにより、ディスクが排出口１１から排出可能になるから、フリック操作によってパネルディスプレイ６がスライドすることにより、ディスクの排出が可能になる。【選択図】図１
2020083185.tif 000002
【特許請求の範囲】
【請求項１】
メインユニットと、パネルディスプレイとを有し、
前記パネルディスプレイが前記メインユニットとの合わせ面で支持されており、
前記メインユニットには、記憶媒体の読み出し手段と、前記記憶媒体の排出口とが設けられ、
前記パネルディスプレイを移動させることにより前記記憶媒体を前記排出口から排出可能な車載用電子機器であって、
前記パネルディスプレイはフリック操作されることにより前記合わせ面に沿ってスライドすることを特徴とする車載用電子機器。
【請求項２】
前記パネルディスプレイは、前記スライドを停止すると前記記憶媒体の排出を指示するための排出操作部を表示し、前記排出操作部へのタッチを検出すると、前記記憶媒体の排出動作を行うことを特徴とする請求項１記載の車載用電子機器。
【請求項３】
前記フリック操作は、前記パネルディスプレイのスライド方向と反対側の端部を基点として、該パネルディスプレイのスライド方向になされることを特徴とする請求項１又は２記載の車載用電子機器。
【請求項４】
前記排出口が前記メインユニットの前記合わせ面の前記パネルディスプレイのスライド方向と反対側の端部に配設されていることを特徴とする請求項１〜３のいずれか１項に記載の車載用電子機器。
【発明の詳細な説明】
【技術分野】
【０００１】
本発明は、車載用電子機器に関する。
【背景技術】
【０００２】
従来、この種のものとして、記録媒体に記録された情報を読み出す読み出し手段と、タッチパネルによって指示可能なアイコンを表示する表示手段と、前記読み出し手段から記録媒体を排出する排出手段と、前記読み出し手段の状態を示す画像をアイコンとして前記表示手段に表示し、該アイコンに対するタッチパネル操作を検知すると、前記排出手段による記録媒体の排出を行う制御手段と、を備え、前記パネルディスプレイは、スイッチ、タッチパネル、液晶ディスプレイ、チルト機構およびオープンスイッチを有し、チルト機構によって回動する電子装置（例えば特許文献１）ある。この電子装置は、パネルオープンの為に前記オープンスイッチを有しているが、通常の操作はアイコンによって行われる。
【０００３】
また、記録媒体の挿入排出口を正面に設けたユニット本体と、このユニット本体の前面に装備したディスプレイ部または操作部とを有する車載用電子機器において、ディスプレイ部または操作部をユニット本体の上側または下側の少なくとも一方へ引き出して記録媒体の挿入排出口を出現させるように構成し、記録媒体の挿入排出が可能な状態とする車載用電子機器（例えば特許文献２）がある。
【０００４】
一方、この種の車載用電子機器では、カーナビゲーションなどの通常表示を選択した状態で、割込み表示がなされることがある。例えば、前記割込み表示としては、電話着信情報を受信すると、電話着信情報に基づいてナビゲーション表示部が前記電話着信情報に対応した電話着信表示部へと切替表示されるように、ディスプレイを表示動作させる制御を行うもの（例えば特許文献３）や、トランスミッションギヤのバックギヤへのシフトの検出または障害物センサによる車両後方の障害物の検出により、バックカメラの映像を割り込み表示するもの（例えば特許文献４）などがある。
【先行技術文献】
【特許文献】
【０００５】
【特許文献１】特許第４３４３１８７号公報
【特許文献２】特開２００４−１１４７１８号公報
【特許文献３】特開２０１７−５６８３０号公報
【特許文献４】特開２００６−７６３２４号公報
【発明の概要】
【発明が解決しようとする課題】
【０００６】
上記特許文献１の電子装置では、排出手段の排出口から記憶媒体が排出され、使用時にはパネルディスプレイが排出口を塞ぎ、記録媒体の排出を排出する際には、チルト機構によりパネルディスプレイがその下部側が前に迫り出すように回動し、略水平になる。このため、車内において電子装置の前側に十分な空間が確保されていないと、パネルディスプレイの下部側が車内部材に接触する虞があるため、車載用として使用することできない場合がある。
【０００７】
また、パネルディスプレイが回動すると、パネルディスプレイが上向きとなるため、液晶ディスプレイが見難くなる。さらに、液晶ディスプレイに表示したアイコンを操作してパネルディスプレイを回動させるため、アイコンが表示された状態で通常の表示を見ることができなかったり、アイコンが表示の邪魔になったりするという問題がある。
【０００８】
上記特許文献２の車載用電子機器では、ディスプレイ部を上側に引き出すことにより、ディスプレイ部を視認することができるが、ディスプレイ部を引き出し操作するには、専用のスイッチを設けるか、ディスプレイ部に操作用のアイコンを表示する必要がある。
【０００９】
このように専用のスイッチを設けると、部品点数が増加すると共に、そのスイッチに誤まって接触すると、誤作動を招く虞がある。一方、ディスプレイ部に操作用のアイコンを表示すると、アイコンが表示された状態で通常表示を見ることができなかったり、アイコンが表示の邪魔になったりするという問題がある。
【００１０】
さらに、上記特許文献２の車載用電子機器は、記録媒体を排出する際、操作部であるディスプレイを操作して記録媒体の排出口を出現させるが、その記録媒体を排出する際に上記特許文献３及び４のような割込みが発生した場合、ディスプレイの表示をどのようにするかについては何等考慮されていない。
【００１１】
そこで、本発明は上記した問題点に鑑み、フリック操作により記録媒体の排出を可能にする車載用電子機器を提供することを目的とする。
【課題を解決するための手段】
【００１２】
上記目的を達成するために、請求項１に係る発明は、メインユニットと、パネルディスプレイとを有し、前記パネルディスプレイが前記メインユニットとの合わせ面で支持されており、前記メインユニットには、記憶媒体の読み出し手段と、前記記憶媒体の排出口とが設けられ、前記パネルディスプレイを移動させることにより前記記憶媒体を前記排出口から排出可能な車載用電子機器であって、前記パネルディスプレイはフリック操作されることにより前記合わせ面に沿ってスライドすることを特徴とする。
【００１３】
また、請求項２に係る発明は、前記パネルディスプレイは、前記スライドを停止すると前記記憶媒体の排出を指示するための排出操作部を表示し、前記排出操作部へのタッチを検出すると、前記記憶媒体の排出動作を行うことを特徴とする。
【００１４】
また、請求項３に係る発明は、前記フリック操作は、前記パネルディスプレイのスライド方向と反対側の端部を基点として、該パネルディスプレイのスライド方向になされることを特徴とする。
【００１５】
また、請求項４に係る発明は、前記排出口が前記メインユニットの前記合わせ面の前記パネルディスプレイのスライド方向と反対側の端部に配設されていることを特徴とする。
【発明の効果】
【００１６】
請求項１の構成によれば、フリック操作によってパネルディスプレイがスライドすることにより、記録媒体の排出が可能になる。
【００１７】
請求項２の構成によれば、パネルディスプレイがスライドを停止すると、パネルディスプレイに排出操作部が表示され、この排出操作部をタッチすることにより、記憶媒体の排出動作が行われ、記憶媒体が排出される。
【００１８】
請求項３の構成によれば、フリック操作と同じ方向にパネルディスプレイがスライドするから、直感的にフリック操作を行うことができ、誤操作を防ぐことができる。
【００１９】
請求項４の構成によれば、パネルディスプレイのスライドにおいて、排出口を排出可能にするためのストロークを短くできると共に、省スペース化を図ることができる。
【図面の簡単な説明】
【００２０】
【図１】本発明の実施例１を示すパネルディスプレイが上方位置の正面図であり、上側領域と下側領域を仮想線で示している。
【図２】同上、縦断面図であり、図２（Ａ）はパネルディスプレイが下方位置、図２（Ｂ）はパネルディスプレイが上方位置にある。
【図３】同上、パネルディスプレイが下方位置の正面図である。
【図４】同上、パネルディスプレイを上方移動するためのフリック操作を説明する正面図である。
【図５】同上、パネルディスプレイが上方位置の正面図である。
【図６】同上、パネルディスプレイが上方位置で排出操作部を表示した状態の正面図である。
【図７】同上、パネルディスプレイを下方移動するためのフリック操作を説明する正面図である。
【図８】同上、パネルディスプレイが下方位置で通常表示した状態から上方移動開始までのフローチャート図である。
【図９】同上、パネルディスプレイの上方移動開始から上方位置で通常表示までのフローチャート図である。
【図１０】同上、記憶媒体の排出開始からパネルディスプレイの下方移動開始までフローチャート図である。
【図１１】同上、パネルディスプレイの下方移動開始から下方位置で通常表示までのフローチャート図である。
【図１２】本発明の実施例２を示すパネルディスプレイが下方位置の正面図である。
【発明を実施するための形態】
【００２１】
以下、図面を参照して、本発明の車載用電子機器の実施例について説明する。
【実施例１】
【００２２】
図１〜図１１は本発明の実施例１を示し、同図に示すように、車載用電子機器１は、車両のインストルメントパネル２やインストルメントコンソールなどの車両内装部材に取り付けられるメインユニット３と、このメインユニット３の筐体４の正面部５に設けられたパネルディスプレイ６とを有する。尚、メインユニット３は少なくとも一部を前記インストルメントパネル２に内蔵して取り付けられる。
【００２３】
前記メインユニット３の筐体４の下部には、ＣＤやＤＶＤなどのディスクプレーヤ７とＳＤカード読み取り装置８とが内蔵され、右側にディスクプレーヤ７が配置され、左側にＳＤカード読み取り装置８が配置されている。
【００２４】
尚、前記ＳＤカード読み取り装置８に換えてＭＤ（ミニディスク・マイクロディスク）プレーヤを配置してもよい。
【００２５】
そして、前記ディスクプレーヤ７及びＳＤカード読み取り装置８が、記憶媒体たるディスク９及びＳＤカード１０の読み出し手段であり、前記メインユニット３の筐体４の正面部５が、前記パネルディスプレイ６を支持する合わせ面である。また、前記正面部５及びパネルディスプレイ６は上下方向より左右方向が長い長方形形状をなす。
【００２６】
前記メインユニット３の筐体４の正面部５には、前記ディスクプレーヤ７のディスク用排出口１１及び前記ＳＤカード読み取り装置８のカード用排出口１２が設けられ、これら排出口１１，１２は、前記ディスク９及び前記ＳＤカード１０の挿入及び取り出しができるように構成されている。
【００２７】
前記パネルディスプレイ６は、枠体１５の正面中央にタッチパネル１６を備えたディスプレイ部１７を有し、このディスプレイ部１７は、液晶ディスプレイなどからなり、表示機能とタッチ操作による入力機能を有する。また、前記枠体１５の正面には、車載用電子機器１を操作する複数のスイッチ１８が配置されている。
【００２８】
前記スイッチ１８は前記枠体１５の正面下部及び正面右側に複数配置されている。また、前記枠体１５には、前記パネルディスプレイ６を移動して前記排出口１１の前側を開くためのオープン用のスイッチを設けても良いが、この例では後述するようにフリック操作を用いることにより省略できるため設けられていない。
【００２９】
前記メインユニット３は、ディスプレイ部１７の表示，タッチパネル１６への入力や前記スイッチ１８の操作，前記ディスクプレーヤ７及びＳＤカード読み取り装置８の状態などにより車載用電子機器１を制御する制御手段１９を備える。
【００３０】
前記パネルディスプレイ６は移動機構２１によって前記メインユニット３に対して移動する。前記移動機構２１は、前記筐体４の正面の左右と前記パネルディスプレイ６の後面の左右との間に、案内取付部材たる縦方向のレール機構（図示せず）を設け、これら左右のレール機構により前記パネルディスプレイ６がメインユニット３に対して昇降可能に取り付けられている。
【００３１】
図２に示すように、前記移動機構２１は、前記パネルディスプレイ６の背面に縦方向のラック２２を設け、このラック２２に歯合する駆動ギヤ２３を筐体４に設け、この駆動ギヤ２３を回転駆動させる駆動手段たるモータ（図示せず）が、筐体４に内蔵されている。
【００３２】
前記移動機構２１により、パネルディスプレイ６が正面部５に沿って移動する。この場合、前記パネルディスプレイ６は、前記排出口１１，１２の前面を塞ぐ下方位置（初期位置）と、前記排出口１１，１２が露出する上方位置（移動位置）との間で昇降する。尚、前記下方位置では、前記パネルディスプレイ６の下面が筐体４の下面と同一位置となる。尚、この例では、パネルディスプレイ６の下方位置が一側位置であり、パネルディスプレイ６上方位置が他側位置である。
【００３３】
この例では、排出口１１，１２はメインユニット３の上下一端側の下端側に配置されているから、排出口１１，１２を開閉するためのパネルディスプレイ６の上下移動のストロークが短く済む。尚、排出口１１，１２は、記憶媒体の厚さ方向を上下方向として、左右方向に長く形成され、左右に並んでいる。
【００３４】
このように排出口１１，１２がメインユニット３の合わせ面たる正面部５の上下方向端部である下端部に配設されているから、パネルディスプレイ６のスライドにおいて、排出口１１を排出可能にするためのストロークを短くできると共に、車載用電子機器１を車内に取付けるために必要なスペースを最小限に抑えることができる。
【００３５】
次に、前記制御手段１９による車載用電子機器１の駆動及び表示処理の制御について、ディスプレイ部１７の表示切換え及び記憶媒体の排出に伴うパネルディスプレイ６の移動を中心として、図８〜図１１を参照して説明する。
【００３６】
図３に示すパネルディスプレイ６の下方位置で、図４に示すように、使用者がディスプレイ部１７の下端側に指Ｆでタッチし、タッチしたまま上方に移動した後、指Ｆを離すフリック操作を行うことにより、パネルディスプレイ６が上方移動を開始し、図５に示すように、パネルディスプレイ６が上方位置で止ることにより、排出口１１，１２から記憶媒体が排出可能となる。次に、図６に示すように、上方位置のパネルディスプレイ６のディスプレイ部１７に、アイコンである排出操作部３３が表示され、排出操作部３３を指Ｆでタッチすると、ディスクプレーヤ７による記憶媒体の排出動作が行われ、排出口１１，１２から記憶媒体を排出又は挿入した後、図７に示すように、パネルディスプレイ６の上方位置で、ディスプレイ部１７の上端側に指Ｆでタッチし、タッチしたまま下方に移動した後、指Ｆを離すフリック操作を行うことにより、パネルディスプレイ６が下方移動を開始し、これらの間に、通常表示のディスプレイ部１７には、後述する割込み表示イベントが発生すると、割込み表示が優先して表示される。
【００３７】
具体的には、図８に示すように、パネルディスプレイ６が排出口１１を塞ぐ下方位置において、パネルディスプレイ６がナビゲーション画面などの通常表示を行っている状態（ステップ１０１）で、前記通常表示の少なくとも一部を切換える割込み（割込み表示イベント）があるかを判断し（ステップ１０２）、割込みがあると（ステップ１０２にて「ＹＥＳ」）、パネルディスプレイ６の通常表示が割込み表示（ステップ１０３）に切り換わり、この割込み表示が終了したかどうかを判断し（ステップ１０４）、割込み表示が終了すると（ステップ１０４にて「ＹＥＳ」）、下方位置での通常表示（ステップ１０１）に戻る。
【００３８】
尚、割込み表示を行う前記割込みとしては、上記背景技術で説明したものと共に、ハンズフリー電話の着呼時の報知画面表示や通話時の通話時間等の表示や、ＥＴＣ（Electronic  Toll  Collection  System）の料金収受情報、例えば料金所通過時の課金確認画面の表示や、トランスミッションギヤのバックギヤへのシフトを検出してリアカメラの画像を表示するなどが例示される。
【００３９】
例えば、前記リアカメラの画像の表示の場合では、トランスミッションギヤのバックギヤからバックギヤ以外へのシフトの切換えを検出することにより割込み表示の終了を検出し（ステップ１０４にて「ＹＥＳ」）、ステップ１０３の割込み表示から下方位置での通常表示（ステップ１０１）に切り換えるように制御される。
【００４０】
尚、前記課金確認画面などでは、車載用電子機器１の設定により、５秒，１０秒，１５秒，２０秒・・・などと表示時間が決まっているから、前記設定された表示時間から、割込み表示の終了を検出するようにしてもよい。
【００４１】
また、割込み表示は、通常表示を全面的に切り換える方式や、通常表示の一部に表示する方式を用いることができる。尚、この実施例では、パネルディスプレイ６が下方位置では、排出口１１，１２が該パネルディスプレイ６により塞がれた状態となり、パネルディスプレイ６が上方位置では、排出口１１，１２の前側が開いた状態となり、この状態で記憶媒体が前記排出口１１，１２から排出可能となる。
【００４２】
このようにパネルディスプレイ６の下方位置は、排出口１１，１２を閉める位置であり、パネルディスプレイ６の上方位置は、排出口１１，１２を開く位置である。
【００４３】
下方位置で通常表示（ステップ１０１）の状態で、割込みがあるかを判断し（ステップ１０２）、割込みが無いと（ステップ１０２にて「ＮＯ」）と、フリック操作の初めの動作である下側領域３１にタッチされたかを判断する（ステップ１０５）。この場合、以下のように、フリック操作中に割込みが無く、フリック操作が完了したことを条件として、パネルディスプレイ６が下方位置から上方に移動し、上方位置で停止するように制御される。尚、ステップ１０５における指Ｆのタッチとしては、下側領域３１のみに指Ｆをタッチしても良いし、下側領域３１の一部と該下側領域３１に隣り合う上の領域とに跨って指Ｆをタッチしても良く、後述する上側領域３２も同様である。
【００４４】
この例では、上方がパネルディスプレイ６のスライド方向の他側、パネルディスプレイ６の下方がスライド方向の一側であり、上側領域３２が他側領域であり、下側領域３１が一側領域である。また、少なくとも実施例で説明するフリック操作によって、ディスプレイ部１７の画面がスクロールすることはない。
【００４５】
この上方へ移動するためのフリック操作は、図４に示すように、ディスプレイ部１７の下側領域３１を指Ｆでタッチし、タッチしたまま下側領域３１から上側に向かって縦方向に移動して下側領域３１の外の領域（上側領域３２と下側領域３１の間の領域）で指Ｆを離す操作である。この場合、下側領域３１はディスプレイ部１７の下縁に沿って略一定の高さ幅Ｗを有する領域であり、前記高さ幅Ｗは、１５ｍｍ以上、ディスプレイ部１７の高さＨの１／４以下が好ましい。尚、前記１５ｍｍは成人の指Ｆの幅に略対応する。
【００４６】
また、排出口１１，１２を開閉するためのパネルディスプレイ６の上下移動のストロークは、前記高さＨの１／２未満、好ましくは前記高さＨの１／３以下であり、前記ストロークの下限は排出口１１，１２の上下幅以上である。
【００４７】
また、車載用電子機器１において、下側領域３１及び上側領域３２の前記高さ幅Ｗなどを任意に設定することができる。この場合、図１に示したように高さ幅Ｗが一定で帯状をなす下側領域３１及び上側領域３２以外でも、それら下側領域３１及び上側領域３２を、ディスプレイ部１７の左右方向一側より左右方向他側が高くなるように左右方向で高さ幅Ｗが変化する形状に設定することもできる。
【００４８】
割込みがないと（ステップ１０２にて「ＮＯ」）、下側領域３１にタッチが有るか判断し（ステップ１０５）、タッチが無いと（ステップ１０５にて「ＮＯ」）、ステップ１０２の前に戻り、割込みがないことを条件としてタッチが有るまでステップ１０２とステップ１０５を繰り返し、タッチが有ると（ステップ１０５にて「ＹＥＳ」）、フリック操作が完了するまでに割込みが有るかを判断する（ステップ１０６）。尚、フリック操作の完了は、タッチしたまま下側領域３１の上側に向かって縦方向に移動してディスプレイ部１７から指Ｆを離すことを検出して判断する（ステップ１０７）。また、フリック操作はタッチパネル１６により検出される。
【００４９】
下側領域３１にタッチがあると（ステップ１０５にて「ＹＥＳ」）、割込みが有るかを判断し（ステップ１０６）、割込みがないと（ステップ１０６にて「ＮＯ」）、フリック操作が完了したかを判断し（ステップ１０７）、フリック操作が完了していると（ステップ１０７にて「ＹＥＳ」）、パネルディスプレイ６が上方移動を開始（ステップ１１０）するように制御される。
【００５０】
このようにフリック操作は、パネルディスプレイ６のスライド方向である上側と反対側の端部である下側領域３１を基点としてなされ、下側領域３１からパネルディスプレイ６の移動方向と同じ上側に指Ｆを移動するから、直感的に操作をすることができる。
【００５１】
一方、ステップ１０５で下側領域３１にタッチがあっても、このタッチ後、ステップ１０７でフリック操作の完了が確認される前に、割込みがあると（ステップ１０６にて「ＹＥＳ」）、割込み表示（ステップ１０３）に移行し、この割込み表示が終了したかどうかを判断し（ステップ１０４）、割込み表示が終了すると（ステップ１０４にて「ＹＥＳ」）、下方位置での通常表示（ステップ１０１）に戻る。
【００５２】
尚、ステップ１０５の判断で下側領域３１に指Ｆのタッチがあり、ステップ１０６の判断で割込みが無いと（「ＮＯ」）、フリック操作が完了したかを判断し（ステップ１０７）、フリック操作が完了していなければ（ステップ１０７にて「ＮＯ」）、下側領域３１にタッチした後、所定時間が経過したかを判断し（ステップ１０８）、所定時間が経過していないと（ステップ１０８にて「ＮＯ」）、ステップ１０６の前に戻って繰り返す。尚、この場合の所定時間は数秒以下、例えば５秒以下である。
【００５３】
ステップ１０７からステップ１０６に戻ることを繰り返しても、割込みが無く（ステップ１０６にて「ＮＯ」）、フリック操作が完了せず（ステップ１０７にて「ＮＯ」）、所定時間が経過すると（ステップ１０８にて「ＹＥＳ」）、ステップ１０２の前に戻る。
【００５４】
このようにステップ１０２の前に戻るのは、下側領域３１に指Ｆをタッチしただけで、指Ｆを離して下側領域３１の上側に指Ｆを移動しなかったり、上側への指Ｆの移動量が設定値に達しなかったりした場合や、下側領域３１に指Ｆをタッチした後、フリック操作の完了までにステップ１０８の所定時間を超えた場合などである。
【００５５】
このように下側領域３１に指Ｆをタッチしてフリック操作を開始しても、フリック操作が完了する前に割込みがあると、パネルディスプレイ６は移動しないで、割込み表示（ステップ１０３）を優先する。
【００５６】
図９に示すように、パネルディスプレイ６が上方移動を開始し（ステップ１１０）、上方位置で停止する前に、割込みがあるか判断し（ステップ１１１）、割込みがないと（ステップ１１１にて「ＮＯ」）、パネルディスプレイ６が上方位置にあるか判断し（ステップ１１２）、上方位置にあると（ステップ１１２にて「ＹＥＳ」）、上方位置での通常表示を、図６に示すように、エジェクトボタンのアイコンである排出操作部３３の表示（ステップ１１３）に切り換える。そして、前記排出操作部３３にタッチすると、このタッチをタッチパネル１６が検出し、ディスクプレーヤ７によりディスク９を排出する動作が行われる。
【００５７】
一方、割込みが無くても、移動中でパネルディスプレイ６が上方位置に達していないと（ステップ１１２にて「ＮＯ」）、ステップ１１１の前に戻って上方位置に達するまでステップ１１１とステップ１１２を繰り返す。即ち、この例では、パネルディスプレイ６が上方位置にあることを条件に、画面を切り換えてエジェクトボタンである排出操作部３３を表示する。また、後述するように、パネルディスプレイ６が上方移動を開始し（ステップ１１０）、割込み表示（ステップ１１４）に切り換え、割込み表示の状態でパネルディスプレイ６が上方位置に達しても、割込み表示が終了するまで、排出操作部３３は表示されない。
【００５８】
パネルディスプレイ６が上方移動を開始し（ステップ１１０）、移動中に割込みが有るか判断し（ステップ１１１）、割込みが有ると（ステップ１１１にて「ＹＥＳ」）、通常表示から割込み表示（ステップ１１４）に切換え、割込み表示が終わったか判断し（ステップ１１５）、割込み表示が終了すると（ステップ１１５にて「ＹＥＳ」）、パネルディスプレイ６が上方位置にあるかを判断し（ステップ１１６）、パネルディスプレイ６が上方位置にあると（ステップ１１６にて「ＹＥＳ」）、ステップ１１３の前に移行し、排出操作部３３を表示（ステップ１１３）する。
【００５９】
一方、ステップ１１５の後、パネルディスプレイ６が上方位置にあるかを判断し（ステップ１１６）、移動中で上方位置に達していないと（ステップ１１６にて「ＮＯ」）、通常表示（ステップ１１７）に切り換え、ステップ１１１の前に移行する。そして、ステップ１１６及びステップ１１２のように、パネルディスプレイ６が上方位置であることを条件として、排出操作部３３が表示されるから、下方位置又は移動中に排出操作部３３が表示されることがなく、下方位置又は移動中に誤って排出操作部３３を操作することが無い。
【００６０】
尚、この例の割込み表示として、通常表示を全面的に切り換える方式や、通常表示の一部に割込んで表示する方式を用いることができるから、例えば、ステップ１１７などの通常表示とは、その前の割込み表示（ステップ１１４など）が全面的な表示であれば、割込み表示が通常表示に切り換わるものであり、その前の割込み表示（ステップ１１４など）が通常表示の一部に割込んで表示がされていれば、割込み表示が消えて通常表示のみとなるものである。
【００６１】
また、パネルディスプレイ６が上方移動を開始し、上方位置に達するまでの移動時間は、数秒程度と僅かであり、前記移動時間に比べて割込み表示の時間が長い場合が多いから、ステップ１１６とステップ１１７を省略し、ステップ１１５で割込みが終了したら（ステップ１１５にて「ＹＥＳ」）、ステップ１１３に移行するように制御してもよく、前記移動時間に比べて割込み表示の時間が長い場合、割込み表示が終わる前にパネルディスプレイ６は上方位置に達しており、この上方位置で割込み表示が終わってから、排出操作部３３が表示される。このように排出操作部３３の表示より割込み表示が優先して表示される。
【００６２】
パネルディスプレイ６が上方位置で排出操作部３３を表示（ステップ１２０）した状態で、排出操作部３３へのタッチの前に、割込みがあるかを判断し（ステップ１２０）、割込みが無いと（ステップ１２０にて「ＮＯ」）、排出操作部３３にタッチされたかを判断する（ステップ１２１）。排出操作部３３にタッチが無ければ（ステップ１２１にて「ＮＯ」）、ステップ１２０の前に戻り、割込みがないことを条件として、排出操作部３３にタッチが有るまでステップ１２０とステップ１２１を繰り返す。
【００６３】
パネルディスプレイ６に排出操作部３３を表示（ステップ１１３）した後、割込み前にタッチが有ると（ステップ１２１にて「ＹＥＳ」）、ディスクプレーヤ７により排出口１１からディスク９の排出が開始され（ステップ１２２）、上方位置で通常表示（ステップ２０１）に切り換わる。
【００６４】
尚、この例のディスクプレーヤ７による排出は、ディスクプレーヤ７が排出口１１からディスク９の一部を排出して保持し、このディスク９を使用者が取り出す方式を採用し、また、ディスク９の挿入は、このディスク９を使用者が排出口１１に所定量だけ挿入すると、そのディスク９をディスクプレーヤ７が内部に引き込む方式を採用しているから、ディスク９が取り出されことを検出して排出が完了したと判断する。また、ディスク９が取り出されてから数秒である所定待機時間が経過することにより、排出が完了したと判断してもよく、ディスクプレーヤ７の排出及び挿入方式により排出及び挿入を適宜判断するように構成すればよい。
【００６５】
一方、ステップ１２０で割込みが有ると（ステップ１２０にて「ＹＥＳ」）、排出操作部３３の表示を割込み表示（ステップ１２３）に切り換えた後、割込み表示が終わったか判断し（ステップ１２４）、割込み表示が終了すると（ステップ１２４にて「ＹＥＳ」）、ステップ１１３の前に戻り、排出操作部３３の表示（ステップ１１３）に切り換える。
【００６６】
尚、図６に示すように、排出操作部３３を表示する場合、ディスプレイ部１７には排出操作部３３が表示され、余白に通常画面は表示されないが、排出操作部３３の表示（ステップ１１３）が割込み表示（ステップ１２３）に切り換わる場合、通常表示の一部に表示する方式の割込み表示の場合は、通常表示と共に、この通常表示の一部に割込み表示が表れ、余白部分が無くなる。
【００６７】
このようにパネルディスプレイ６を移動させることによりディスク９を排出口１１から排出する車載用電子機器１であって、パネルディスプレイ６は使用者によりフリック操作されることにより正面部５に沿って上下にスライドし、パネルディスプレイ６がスライドすることにより、排出口１１の前が開いてディスク９が排出口１１から排出可能となる。
【００６８】
また、パネルディスプレイ６は、スライドを停止するとディスク９の排出を指示するための排出操作部３３を表示し、この排出操作部３３へのタッチを検出すると（ステップ１２１にて「ＹＥＳ」）、ディスクプレーヤ７はディスク９の少なくとも一部が排出する動作を行う。
【００６９】
図１０に示すように、パネルディスプレイ６が上方位置で通常表示（ステップ２０１）の状態で、割込みがあるかを判断し（ステップ２０２）、割込みがあると（ステップ２０２にて「ＹＥＳ」）、パネルディスプレイ６の通常表示が割込み表示（ステップ２０３）に切り換わり、この割込み表示が終了したかどうかを判断し（ステップ２０４）、割込み表示が終了すると（ステップ２０４にて「ＹＥＳ」）、ステップ２０１の前に戻り、パネルディスプレイ６が上方位置で通常表示となる。尚、使用者は、排出口１１へのディスク９の挿入が完了した後、後述するフリック操作を行う。
【００７０】
パネルディスプレイ６が上方位置で通常表示（ステップ２０１）の状態で、割込みがあるかを判断し（ステップ２０２）、割込みが無いと（ステップ２０２にて「ＮＯ」）、ディスク９の排出又は挿入が完了したかを判断し（ステップ２０５）、ディスク９の排出又は挿入が完了していたら（ステップ２０５にて「ＹＥＳ」）、上方位置におけるフリック操作の初めの動作である上側領域３２に指Ｆがタッチされたかを判断する（ステップ２０６）。この場合、パネルディスプレイ６を上方位置から下方に移動し、下方位置で停止する操作のためにフリック操作が行われる。
【００７１】
尚、ステップ２０５は、ディスク９の一部が排出口１１から飛び出した状態で、パネルディスプレイ６が降下してディスク９に接触することを防止するために設けられているから、ステップ２０１からステップ２１０の下方移動を開始する前での間において、ステップ２０５の判断を行うようにステップ２０５の順番を変えてもよい。
【００７２】
また、ディスクプレーヤ７内にディスク９が無い場合、排出操作部３３をタッチして排出動作が行われても、実際にはディスク９は排出されないが、排出された状態であるから、ステップ２０５においては、排出が完了したと（ステップ２０５にて「ＹＥＳ」）判断される。尚、ディスクプレーヤ７が内部のディスク９の有無を検出可能であれば、ディスク９が無い場合は、排出操作部３３にタッチが有っても、ディスクプレーヤ７が排出動作を行わないようにしてもよい。
【００７３】
図７に示すように、パネルディスプレイ６を下方へ移動するためのフリック操作は、ディスプレイ部１７の上側領域３２に指Ｆをタッチし、タッチしたまま下側領域３１の下側に向かって縦方向に移動して下側領域３１の下の領域（上側領域３２と下側領域３１の間の領域）で指Ｆを離す操作である。この場合、上側領域３２はディスプレイ部１７の上縁に沿って略一定の高さ幅Ｗを有する領域であり、前記高さ幅Ｗは、１５ｍｍ以上、ディスプレイ部１７の高さＨの１／４以下が好ましい。尚、前記１５ｍｍは成人の指Ｆの幅に略対応する。
【００７４】
割込みがなく（ステップ２０２にて「ＮＯ」）、ディスク９の排出又は挿入が完了していると（ステップ２０５にて「ＹＥＳ」）、上側領域３２にタッチが有るか判断し（ステップ２０６）、タッチが無いと（ステップ２０６にて「ＮＯ」）、ステップ２０２の前に戻り、割込みがないことを条件として上側領域３２にタッチが有るまでステップ２０２，ステップ２０５及びステップ２０６を繰り返し、タッチが有ると（ステップ２０６にて「ＹＥＳ」）、フリック操作が完了するまでに割込みが有るかを判断する（ステップ２０７）。尚、フリック操作の完了は、タッチしたまま上側領域３２から下側に向かって縦方向に移動して指Ｆを離すことを検出して判断する（ステップ２０８）。
【００７５】
上側領域３２にタッチがあると（ステップ２０６にて「ＹＥＳ」）、割込みが有るかを判断し（ステップ２０７）、タッチ後、所定時間が経過したかを判断し（ステップ２０８）、所定時間内に割込みがないと（ステップ２０８にて「ＹＥＳ」）、フリック操作が完了したかを判断し（ステップ２０８）、フリック操作が完了していると（ステップ２０８にて「ＹＥＳ」）、パネルディスプレイ６が下方移動を開始（ステップ２１０）するように制御される。
【００７６】
このようにフリック操作は、パネルディスプレイ６のスライド方向である下側と反対側の端部である上側領域３２を基点としてなされ、上側領域３２からパネルディスプレイ６の移動方向と同じ下側に指Ｆを移動するから、直感的に操作をすることができる。
【００７７】
一方、ステップ２０６で上側領域３２にタッチがあっても、このタッチ後、ステップ２０９でフリック操作の完了が確認される前に、割込みがあるか判断し（ステップ２０７）、割込みがあると（ステップ２０７にて「ＹＥＳ」）、割込み表示（ステップ２０３）に移行し、この割込み表示が終了したかどうかを判断し（ステップ２０４）、割込み表示が終了すると（ステップ２０４にて「ＹＥＳ」）、上方位置での通常表示（ステップ２０１）に戻る。
【００７８】
尚、ステップ２０６の判断で上側領域３２に指Ｆのタッチがあり、ステップ２０７の判断で割込みが無いと（「ＮＯ」）、フリック操作が完了したかを判断し（ステップ２０８）、フリック操作が完了していなければ（ステップ２０８にて「ＮＯ」）、上側領域３２にタッチした後、所定時間が経過したかを判断し（ステップ２０９）、所定時間が経過していないと（ステップ２０９にて「ＮＯ」）、ステップ２０７の前に戻って繰り返す。尚、この場合の所定時間は数秒以下、例えば５秒以下である。
【００７９】
ステップ２０８からステップ２０７に戻ることを繰り返しても、割込みが無く（ステップ２０７にて「ＮＯ」）、フリック操作が完了せず（ステップ２０８にて「ＮＯ」）、所定時間が経過すると（ステップ２０９にて「ＹＥＳ」）、ステップ２０２の前に戻る。
【００８０】
このようにステップ２０２の前に戻るのは、上側領域３２に指Ｆをタッチしただけで、指Ｆを離して上側領域３２の下側に指Ｆを移動しなかったり、下側への指Ｆの移動量が設定値に達しなかったりした場合や、上側領域３２に指Ｆをタッチした後、フリック操作の完了までにステップ２０９の所定時間を超えた場合などである。
【００８１】
このように上側領域３２に指Ｆをタッチしてフリック操作を開始しても、フリック操作が完了する前に割込みがあると、パネルディスプレイ６は移動しないで、割込み表示（ステップ２０３）を優先する。
【００８２】
図１１に示すように、パネルディスプレイ６が下方移動を開始し（ステップ２１０）、下方位置で停止する前に、割込みがあるか判断し（ステップ２１１）、割込みがないと（ステップ２１１にて「ＮＯ」）、パネルディスプレイ６が下方位置にあるか判断し（ステップ２１２）、パネルディスプレイ６が下方位置にあると（ステップ２１２にて「ＹＥＳ」）、画面を切り換えることなく、下方位置で通常表示（ステップ２０１）の状態になる。
【００８３】
パネルディスプレイ６が下方移動を開始し（ステップ２１０）、移動中に割込みが有るか判断し（ステップ２１１）、割込みが有ると（ステップ２１１にて「ＹＥＳ」）、通常表示から割込み表示（ステップ２１３）に切り換え、割込み表示が終わったか判断し（ステップ２１４）、割込み表示が終了すると（ステップ２１４にて「ＹＥＳ」）、パネルディスプレイ６が下方位置にあるか判断し（ステップ２１５）、パネルディスプレイ６が下方位置にあると（ステップ２１５にて「ＹＥＳ」）、下方位置で通常表示（ステップ２０１）に切り換える。
【００８４】
この場合、割込み表示（ステップ２１３）に切り換え、割込み表示の状態でパネルディスプレイ６が下方位置に達しても、割込み表示が終了するまで、通常表示に切り換わらない。即ち、割込み表示が終わる（ステップ２１４にて「ＹＥＳ」）前に、パネルディスプレイ６が下方位置に達している場合もある。
【００８５】
尚、パネルディスプレイ６が下方移動を開始し、下方位置に達するまでの移動時間は、数秒程度と僅かであり、前記移動時間に比べて割込み表示の時間が長い場合が多いから、ステップ２１５とステップ２１６を省略し、ステップ２１４で割込みが終了したら（ステップ２１４にて「ＹＥＳ」）、ステップ１０１に移行するように制御してもよく、前記移動時間に比べて割込み表示の時間が長い場合、割込み表示が終わる前にパネルディスプレイ６は下方位置に達しており、この下方位置で割込み表示が終わってから、通常表示（ステップ１０１）に切り換わる。このように通常表示より割込み表示を優先して表示する。
【００８６】
一方、パネルディスプレイ６が下方位置にあるかを判断し（ステップ２１５）、移動中で下方位置に達していないと（ステップ２１５にて「ＮＯ」）、通常表示（ステップ２１６）に切り換え、ステップ２１１の前に移行する。
【００８７】
このように本実施例では、請求項１に対応して、メインユニット３と、パネルディスプレイ６とを有し、パネルディスプレイ６がメインユニット３との合わせ面たる正面部５で支持されており、メインユニット３には、記憶媒体たるディスク９の読み出し手段たるディスクプレーヤ７と、ディスク９の排出口１１とが設けられ、パネルディスプレイ６を移動させることによりディスク９を排出口１１から排出可能な車載用電子機器１であって、パネルディスプレイ６はフリック操作されることにより正面部５に沿ってスライドするから、フリック操作によってパネルディスプレイ６がスライドすることにより、ディスク９の排出が可能になる。
【００８８】
このように本実施例では、請求項２に対応して、パネルディスプレイ６は、スライドを停止すると記憶媒体たるディスク９の排出を指示するための排出操作部３３を表示し、排出操作部３３へのタッチを検出すると、ディスク９の排出動作を行うから、パネルディスプレイ６がスライドを停止すると、パネルディスプレイ６に排出操作部３３が表示され、この排出操作部３３をタッチすることにより、ディスク９の排出動作が行われ、ディスク９が排出される。
【００８９】
このように本実施例では、請求項３に対応して、フリック操作は、パネルディスプレイ６のスライド方向と反対側の端部を基点として、該パネルディスプレイ６のスライド方向になされるから、フリック操作と同じ方向にパネルディスプレイ６がスライドするため、直感的にフリック操作を行うことができ、誤操作を防ぐことができる。
【００９０】
このように本実施例では、請求項４に対応して、排出口１１がメインユニット３の合わせ面たる正面部５のパネルディスプレイ６のスライド方向と反対側の端部に配設されているから、パネルディスプレイ６のスライドにおいて、排出口１１を排出可能にするためのストロークを短くできると共に、省スペース化を図ることができる。
【００９１】
以下、制御手段１９の制御による実施例上の効果として、パネルディスプレイ６が停止して通常表示のモードにおいて、フリック操作を開始し、フリック操作が完了する前に割込みがあると割込み表示モードに切り換えるから、優先して割込み表示を見ることができる。
【００９２】
また、排出操作部３３が表示された後、排出操作部３３をタッチする前に割込みがあると割込み表示モードに切り換えるから、優先して割込み表示を見ることができる。
【００９３】
さらに、排出操作部３３をタッチする前に割込みがあると割込み表示モードに切り換え、割込み表示が終了すると（ステップ１２４にて「ＹＥＳ」）、排出操作部３３が自動的に表示されるから、記憶媒体の排出作業を容易に行うことができる。
【００９４】
また、記憶媒体が挿入されている状態で、排出操作部３３をタッチすると、記憶媒体の排出を開始（ステップ１２２）すると共に、通常表示（ステップ２０１）となるから、記憶媒体の排出又は挿入時にも通常表示を見ることができる。
【００９５】
また、以下、実施例上の効果として、制御手段１９により、パネルディスプレイ６の移動は、フリック操作中に割込みが無く、フリック操作が完了したことを条件として、パネルディスプレイ６が、下方位置及び上方位置から上方及び下方に移動し、上方位置及び下方位置で停止するように制御され、割込み表示を優先し、フリック操作の途中でも割込み表示に切り換えられると共に、上方位置又は下方位置で割込み表示中にパネルディスプレイ６が移動を開始することがなく、割込み表示の情報を確認することができる。
【００９６】
また、フリック操作が完了するまでに割込みが有るかを判断するから、下側領域３１に指Ｆをタッチしただけで、指Ｆを離して下側領域３１の上側に指Ｆを移動しなかったり、上側への指Ｆの移動量が設定値に達しなかったりした場合や、下側領域３１に指Ｆをタッチした後、フリック操作の完了までにステップ１０８の所定時間を超えた場合などにパネルディスプレイ６が移動することがない。
【００９７】
また、パネルディスプレイ６が上方移動を開始し（ステップ１１０）、割込み表示（ステップ１１４）に切り換え、割込み表示の状態でパネルディスプレイ６が上方位置に達しても、割込み表示が終了するまで、排出操作部３３は表示されないから、割込み表示が不用意に切り換わることなく、割込み表示を最後まで見ることができる。さらに、排出操作部３３は上方位置に達するまで表示されないから、パネルディスプレイ６の移動中に誤まってディスク９が排出されることが無い。
【００９８】
また、排出操作部３３が上方位置で表示されても、タッチするまでに割込みが有ると、割込み表示となり、割込み表示が終わるまで排出操作部３３が表示されないから、割込み表示を最後まで見ることができる。さらに、パネルディスプレイ６を移動操作するためのスイッチ及び記録媒体を排出操作するスイットを省略できる。
【実施例２】
【００９９】
図１２は本発明の実施例２を示し、上記実施例１と同一部分に同一符号を付し、その説明を省略して詳述する。同図に示すように、この例では、メインユニット３の上端側に排出口１１，１２を設け、メインユニット３に対してパネルディスプレイ６が下方にスライドして排出口１１，１２の前が開いた状態となり、このようにメインユニット３に対してパネルディスプレイ６が下方にスライドすることにより、ディスク９が排出口１１から排出可能になるように構成している。そして、図１２に示す状態が、パネルディスプレイ６の下方位置である。
【０１００】
具体的には、上方位置にあるパネルディスプレイ６の上側領域３２を指Ｆでタッチし、タッチしたまま上側領域３２から下側に向かって縦方向に移動して指Ｆを離すフリック操作により、パネルディスプレイ６が下方移動し、一方、下方位置にあるパネルディスプレイ６の下側領域３１を指Ｆでタッチし、タッチしたまま下側領域３１から上側に向かって縦方向に移動して指Ｆを離すフリック操作により、パネルディスプレイ６が上方移動する。
【０１０１】
そして、この例では、パネルディスプレイ６の下方位置が他側位置であり、パネルディスプレイ６の上方位置が一側位置である。また、上方がパネルディスプレイ６のスライド方向の一側、下方がパネルディスプレイ６のスライド方向の他側であり、上側領域３２が一側領域であり、下側領域３１が他側領域である。
【０１０２】
また、実施例１とは逆に、パネルディスプレイ６が上方位置（初期位置）では、排出口１１，１２が該パネルディスプレイ６により塞がれた状態となり、パネルディスプレイ６が下方位置（移動位置）では、排出口１１，１２の前側が開いた状態で、記憶媒体が排出口１１，１２から排出可能となる。このようにパネルディスプレイ６の下方位置は、排出口１１，１２を開く位置であり、パネルディスプレイ６の上方位置は、排出口１１，１２を閉める位置である。
【０１０３】
従って、この例では、図８〜図１１のフローチャート図における下方，上方，下側領域及び上側領域の表記を、上方，下方，上側領域及び下側領域の表記と読み換えれば良い。
【０１０４】
このように本実施例は、パネルディスプレイ６はフリック操作されることにより正面部５に沿ってスライドするから、フリック操作によってパネルディスプレイ６がスライドすることにより、ディスク９及びＳＤカード１０の排出が可能になる。
【０１０５】
また、このように本実施例は、パネルディスプレイ６は、スライドを停止すると記憶媒体たるディスク９の排出を指示するための排出操作部３３を表示し、タッチパネル１６が排出操作部３３へのタッチを検出すると、ディスク９の排出動作を行うから、パネルディスプレイ６がスライドを停止すると、パネルディスプレイ６に排出操作部３３が表示され、この排出操作部３３をタッチすることにより、ディスク９の排出動作が行われ、ディスク９が排出される。
【０１０６】
また、このように本実施例は、フリック操作は、パネルディスプレイ６のスライド方向と反対側の端部を基点として、該パネルディスプレイ６のスライド方向になされるから、フリック操作と同じ方向にパネルディスプレイ６がスライドするため、直感的にフリック操作を行うことができ、誤操作を防ぐことができる。
【０１０７】
また、このように本実施例は、排出口１１がメインユニット３の合わせ面たる正面部５のパネルディスプレイ６のスライド方向と反対側の端部に配設されているから、パネルディスプレイ６のスライドにおいて、排出口１１を排出可能にするためのストロークを短くできると共に、省スペース化を図ることができる。
【０１０８】
以上のように本実施例においても、上記実施例１と同様な作用・効果を奏する。
【０１０９】
尚、本発明は、本実施例に限定されるものではなく、本発明の要旨の範囲内で種々の変形実施が可能である。例えば、記録媒体は、実施例で示したＣＤ，ＤＶＤ，ＭＤやＳＤカード以外でも、ブルーレイディスクなどのデータを読み出すことができる各種の記録媒体を用いることができる。また、割込み表示としては、実施例以外でも、車両が交差点に近付くと表示される方面看板表示などでもよい。さらに、実施例では、パネルディスプレイの移動中にも、通常表示を割込み表示に切り換え、割込み表示から通常表示に切り換えるように制御したが、移動時間は短いから、上方位置又は下方位置で停止したことを条件として、それらの切り換えを行うようにしても良い。また、移動手段は、実施例に限定されるものではなく、各種の手段を用いることができ、例えば、油圧シリンダや空気圧シリンダなどの流体圧シリンダを用いるもの、ワイヤなどにより吊り上げ・吊り下しするもの、電磁レールを用いるものなど適宜選定可能である。また、実施例では、パネルディスプレイのスライド方向が上下の例を示したが、前記スライド方向を左右にしても良く、この場合は、実施例２で実施例１の上下を逆に読み換えたように、実施例１及び２の上下を左右に読み換えれば良い。さらに、パネルディスプレイの前記スライド方向を左右にした場合、排出口を上下方向に長く配置すれば良い。また、パネルディスプレイが上下や左右にスライドする際、パネルディスプレイが角度を変えながらスライドしてもよく、例えば、パネルディスプレイが上方にスライドして下側の排出口を開く場合、パネルディスプレイが上方に移動するに連れてパネルディスプレイの上部が多少前側に倒れるように角度を変えながらスライドするようにしてもよく、また、パネルディスプレイが下方にスライドして上側の排出口を開く場合、パネルディスプレイが下方に移動するに連れてパネルディスプレイの下部が多少前側に倒れるように角度を変えながらスライドするようにしてもよく、さらに、パネルディスプレイが左側にスライドして右側の排出口を開く場合、パネルディスプレイが左側に移動するに連れてパネルディスプレイの左側が多少前側に向くように角度を変えながらスライドするようにしてもよく、また、パネルディスプレイが右側にスライドして左側の排出口を開く場合、パネルディスプレイが右側に移動するに連れてパネルディスプレイの右側が多少前側に向くように角度を変えながらスライドするようにしてもよい。
【符号の説明】
【０１１０】
１  車載用電子機器
３  メインユニット
５  正面部（合わせ面）
６  パネルディスプレイ
７  ディスクプレーヤ（読み出し手段）
９  ディスク（記憶媒体）
１０  ＳＤカード（記憶媒体）
１１  ディスク用排出口（排出口）
１２  カード用排出口（排出口）
３１  下側領域
３２  上側領域
３３  排出操作部
【図１】
2020083185.tif 000003
【図２】
2020083185.tif 000004
【図３】
2020083185.tif 000005
【図４】
2020083185.tif 000006
【図５】
2020083185.tif 000007
【図６】
2020083185.tif 000008
【図７】
2020083185.tif 000009
【図８】
2020083185.tif 000010
【図９】
2020083185.tif 000011
【図１０】
2020083185.tif 000012
【図１１】
2020083185.tif 000013
【図１２】
2020083185.tif 000014